【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
基地局装置（ｅＮＢ）へ情報を送信する端末装置（ＵＥ）であって、前記端末装置（ＵＥ）は、
プライマリセル（ＰＣｅｌｌ：ｐｒｉｍａｒｙ  ｃｅｌｌ）の時分割多重（ＴＤＤ：Ｔｉｍｅ  Ｄｉｖｉｓｏｎ  Ｄｕｐｌｅｘｉｎｇ）上り下りリンク（ＵＬ−ＤＬ：ｕｐｌｉｎｋ−ｄｏｗｎｌｉｎｋ）構成を確定し、かつセカンダリセル（ＳＣｅｌｌ：ｓｅｃｏｎｄａｒｙ  ｃｅｌｌ）のＴＤＤ  ＵＬ−ＤＬ構成を確定するように構成されたオペレーション部であって、前記ＳＣｅｌｌの前記ＴＤＤ  ＵＬ−ＤＬ構成は、前記ＰＣｅｌｌの前記ＴＤＤ  ＵＬ−ＤＬ構成とは異なる、前記オペレーション部と、
チャネルセレクションを伴う物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）フォーマット１ｂ上で、ハイブリッド自動再送要求／肯定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）情報を送信するように構成された送信部と、
を備え、
ＴＤＤ  ＵＬ−ＤＬ構成５が前記ＳＣｅｌｌの参照構成として利用される場合に、前記チャネルセレクションを伴う前記ＰＵＣＣＨフォーマット１ｂはサポートされない、
端末装置（ＵＥ）。
【請求項２】
端末装置（ＵＥ）から情報を受信する基地局装置（ｅＮＢ）であって、前記基地局装置（ｅＮＢ）は、
前記ＵＥに対する、プライマリセル（ＰＣｅｌｌ：ｐｒｉｍａｒｙ  ｃｅｌｌ）の時分割多重（ＴＤＤ：Ｔｉｍｅ  Ｄｉｖｉｓｏｎ  Ｄｕｐｌｅｘｉｎｇ）上り下りリンク（ＵＬ−ＤＬ：ｕｐｌｉｎｋ−ｄｏｗｎｌｉｎｋ）構成を確定し、かつセカンダリセル（ＳＣｅｌｌ：ｓｅｃｏｎｄａｒｙ  ｃｅｌｌ）のＴＤＤ  ＵＬ−ＤＬ構成を確定するように構成されたオペレーション部であって、前記ＳＣｅｌｌの前記ＴＤＤ  ＵＬ−ＤＬ構成は、前記ＰＣｅｌｌの前記ＴＤＤ  ＵＬ−ＤＬ構成とは異なる、前記オペレーション部と、
チャネルセレクションを伴う物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）フォーマット１ｂ上で、ハイブリッド自動再送要求／肯定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）情報を前記ＵＥから受信するように構成された受信部と、
を備え、
ＴＤＤ  ＵＬ−ＤＬ構成５が前記ＳＣｅｌｌの参照構成として利用される場合に、前記チャネルセレクションを伴う前記ＰＵＣＣＨフォーマット１ｂはサポートされない、
基地局装置（ｅＮＢ）。
【請求項３】
端末装置（ＵＥ）が情報を送信する方法であって、前記方法は、
プライマリセル（ＰＣｅｌｌ：ｐｒｉｍａｒｙ  ｃｅｌｌ）の時分割多重（ＴＤＤ：Ｔｉｍｅ  Ｄｉｖｉｓｏｎ  Ｄｕｐｌｅｘｉｎｇ）上り下りリンク（ＵＬ−ＤＬ：ｕｐｌｉｎｋ−ｄｏｗｎｌｉｎｋ）構成と、セカンダリセル（ＳＣｅｌｌ：ｓｅｃｏｎｄａｒｙ  ｃｅｌｌ）のＴＤＤ  ＵＬ−ＤＬ構成と、を確定するステップであって、前記ＳＣｅｌｌの前記ＴＤＤ  ＵＬ−ＤＬ構成は、前記ＰＣｅｌｌの前記ＴＤＤ  ＵＬ−ＤＬ構成とは異なる、前記確定するステップと、
チャネルセレクションを伴う物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）フォーマット１ｂ上で、ハイブリッド自動再送要求／肯定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）情報を送信するステップと、
を含み、
ＴＤＤ  ＵＬ−ＤＬ構成５が前記ＳＣｅｌｌの参照構成として利用される場合に、前記チャネルセレクションを伴う前記ＰＵＣＣＨフォーマット１ｂはサポートされない、
方法。
【請求項４】
基地局装置（ｅＮＢ）が情報を受信する方法であって、前記方法は、
端末装置（ＵＥ）に対する、プライマリセル（ＰＣｅｌｌ：ｐｒｉｍａｒｙ  ｃｅｌｌ）の時分割多重（ＴＤＤ：Ｔｉｍｅ  Ｄｉｖｉｓｏｎ  Ｄｕｐｌｅｘｉｎｇ）上り下りリンク（ＵＬ−ＤＬ：ｕｐｌｉｎｋ−ｄｏｗｎｌｉｎｋ）構成と、セカンダリセル（ＳＣｅｌｌ：ｓｅｃｏｎｄａｒｙ  ｃｅｌｌ）のＴＤＤ  ＵＬ−ＤＬ構成と、を確定するステップであって、前記ＳＣｅｌｌの前記ＴＤＤ  ＵＬ−ＤＬ構成は、前記ＰＣｅｌｌの前記ＴＤＤ  ＵＬ−ＤＬ構成とは異なる、前記確定するステップと、
チャネルセレクションを伴う物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）フォーマット１ｂ上で、ハイブリッド自動再送要求／肯定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）情報を前記ＵＥから受信するステップと、
を含み、
ＴＤＤ  ＵＬ−ＤＬ構成５が前記ＳＣｅｌｌの参照構成として利用される場合に、前記チャネルセレクションを伴う前記ＰＵＣＣＨフォーマット１ｂはサポートされない、
方法。
【請求項５】
端末装置（ＵＥ）に複数の機能を実行させるために前記ＵＥに搭載された集積回路であって、前記集積回路は、前記ＵＥに、
プライマリセル（ＰＣｅｌｌ：ｐｒｉｍａｒｙ  ｃｅｌｌ）の時分割多重（ＴＤＤ：Ｔｉｍｅ  Ｄｉｖｉｓｏｎ  Ｄｕｐｌｅｘｉｎｇ）上り下りリンク（ＵＬ−ＤＬ：ｕｐｌｉｎｋ−ｄｏｗｎｌｉｎｋ）構成と、セカンダリセル（ＳＣｅｌｌ：ｓｅｃｏｎｄａｒｙ  ｃｅｌｌ）のＴＤＤ  ＵＬ−ＤＬ構成と、を確定するステップであって、前記ＳＣｅｌｌの前記ＴＤＤ  ＵＬ−ＤＬ構成は、前記ＰＣｅｌｌの前記ＴＤＤ  ＵＬ−ＤＬ構成とは異なる、前記確定するステップと、
チャネルセレクションを伴う物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）フォーマット１ｂ上で、ハイブリッド自動再送要求／肯定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）情報を送信するステップと、
を実行させ、
ＴＤＤ  ＵＬ−ＤＬ構成５が前記ＳＣｅｌｌの参照構成として利用される場合に、前記チャネルセレクションを伴う前記ＰＵＣＣＨフォーマット１ｂはサポートされない、
集積回路。
【請求項６】
基地局装置（ｅＮＢ）に複数の機能を実行させるために前記ｅＮＢに搭載された集積回路であって、前記集積回路は、前記ｅＮＢに、
端末装置（ＵＥ）に対する、プライマリセル（ＰＣｅｌｌ：ｐｒｉｍａｒｙ  ｃｅｌｌ）の時分割多重（ＴＤＤ：Ｔｉｍｅ  Ｄｉｖｉｓｏｎ  Ｄｕｐｌｅｘｉｎｇ）上り下りリンク（ＵＬ−ＤＬ：ｕｐｌｉｎｋ−ｄｏｗｎｌｉｎｋ）構成と、セカンダリセル（ＳＣｅｌｌ：ｓｅｃｏｎｄａｒｙ  ｃｅｌｌ）のＴＤＤ  ＵＬ−ＤＬ構成と、を確定するステップであって、前記ＳＣｅｌｌの前記ＴＤＤ  ＵＬ−ＤＬ構成は、前記ＰＣｅｌｌの前記ＴＤＤ  ＵＬ−ＤＬ構成とは異なる、前記確定するステップと、
チャネルセレクションを伴う物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）フォーマット１ｂ上で、ハイブリッド自動再送要求／肯定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）情報を前記ＵＥから受信するステップと、
を実行させ、
ＴＤＤ  ＵＬ−ＤＬ構成５が前記ＳＣｅｌｌの参照構成として利用される場合に、前記チャネルセレクションを伴う前記ＰＵＣＣＨフォーマット１ｂはサポートされない、
集積回路。